(57)【特許請求の範囲】
【請求項１】
窓枠の枠材に取り付けられる窓枠取付材と、
障子の框材に取り付けられる障子取付板と、
基端部が前記窓枠取付材に枢着され、先端部が前記障子取付板の一端部と他端部との間に枢着された長アームと、
基端部が前記窓枠取付材に支持され、先端部が前記障子取付板の一端部に枢着された短アームとからなり、
前記障子を閉じた状態から開く際に、前記短アームがその基端部まわりに回動して前記窓枠に対して略直角に屋外側へ突出した状態となり、この状態から前記短アームが前記長アームの基端部に近づく方向へ前記窓枠取付材に沿って平行移動することにより前記障子が全開することを特徴とする窓ステー。
【請求項２】
前記短アームの基端部に設けた支軸を前記窓枠取付材に沿ってスライド可能に支持するとともに、前記障子を閉じた状態で前記支軸から見て前記長アームの基端部と反対側に位置する補助軸を前記短アームの基端部に設け、前記障子を閉じた状態から開く際に、前記支軸が前記窓枠取付材に対してスライドせずに前記短アームが前記窓枠に対して略直角に屋外側へ突出した状態まで回動するように前記補助軸を案内する円弧面を前記窓枠取付材に設けてなる請求項１記載の窓ステー。
【発明の詳細な説明】
【技術分野】
【０００１】
本発明は、すべり出し窓に用いられる窓ステーの改良に関するものである。
【背景技術】
【０００２】
縦すべり出し窓及び横すべり出し窓は、屋内側から操作するオペレータ等により窓枠内に納められた障子を屋内外方向へ開閉することができるとともに、障子を約９０°程度開いた全開状態とすることができる。
このようなすべり出し窓は、良好な密閉性が得られること及び屋内側から障子のガラス面の両面を拭き掃除することができること等の特長があることから広く用いられており、縦すべり出し窓では上下一対の窓ステーにより、横すべり出し窓では左右一対の窓ステーにより、障子を窓枠に対して開閉可能に支持している。
このような窓ステーとしては、平面四節リンク機構の三つの対偶を回転対偶とし、一つの対偶を回転及び直進対偶とするとともに、短アームが屋外側へ回動する範囲を規制する手段を設けてなるもの（例えば、特許文献１参照。）、平面四節リンク機構の四つの対偶を回転対偶としたもの（例えば、特許文献２参照。）がある。
【先行技術文献】
【特許文献】
【０００３】
【特許文献１】実用新案登録第２５２２２７８号公報
【特許文献２】特許第３８０３８４９号公報
【発明の概要】
【発明が解決しようとする課題】
【０００４】
特許文献１のような窓ステーは、直進対偶（スライダ）がある構成であり、短アーム（特許文献１では第１アーム）がスライドすることから、障子を全開状態にして障子の屋外面を清掃する際に手が入りやすいため清掃作業を効率的に行うことができる。
しかしながら、窓枠取付材（特許文献１ではベース）に対してスライダがスライドする長さが長いことから、スライダのスライド動作を伴う障子の開閉動作を安定かつ確実に行いにくい構造となっている。
例えば、窓枠取付材とスライダとの摺動部のクリアランスが小さいと動作が重くなり、前記摺動部のクリアランスが大きいとゴミや埃が入ることにより噛み込みが生じて動作が不安定又は不能になる場合もある。
よって、安定かつ確実な動作を長期にわたって確保するためには、部品の精度を非常に高くする必要があることから製造コストが増大する。
その上、長ストロークのスライダがある構造上、上述の噛み込みが生じやすいという欠点を拭い去ることはできない。
【０００５】
これに対して特許文献２のような窓ステーは、直進対偶（スライダ）がない構成であることから、噛み込みが生じにくいとともに比較的小さい操作力で開閉を行うことができる。
しかしながら、短アーム（特許文献２では第１アーム）がスライドしないことから、全開状態として障子の屋外面を清掃する際に手が入りにくく清掃作業を効率的に行うことができない。
さらに、特許文献１及び特許文献２の窓ステーは、窓枠取付材（特許文献１ではベース、特許文献２では固定部材）が窓枠に沿って延びる前方に開口した金属製のコ字状部材であるとともに（特許文献１の図２及び特許文献２の図２参照。）、前記コ字状部材の上下水平壁間に配される合成樹脂部材として、特許文献１の窓ステーではスライダ及び案内ブロック（図１及び図２参照。）、特許文献２の窓ステーでは合成樹脂製板状部材（図２参照。）を備えている。
よって、特許文献１及び特許文献２の窓ステーともに、窓枠取付材として金属製のコ字状部材及びその上下水平壁間に配される合成樹脂部材を備える構成であるため、製造コストが嵩むという問題点がある。
【０００６】
そこで本発明が前述の状況に鑑み、解決しようとするところは、障子の開閉動作を安定かつ確実に行うことができ、障子を全開状態にして障子の屋外面を清掃する作業を効率的に行うことができるとともに製造コストを低減することができる窓ステーを提供する点にある。
【課題を解決するための手段】
【０００７】
本発明に係る窓ステーは、前記課題解決のために、窓枠の枠材に取り付けられる窓枠取付材と、障子の框材に取り付けられる障子取付板と、基端部が前記窓枠取付材に枢着され、先端部が前記障子取付板の一端部と他端部との間に枢着された長アームと、基端部が前記窓枠取付材に支持され、先端部が前記障子取付板の一端部に枢着された短アームとからなり、前記障子を閉じた状態から開く際に、前記短アームがその基端部まわりに回動して前記窓枠に対して略直角に屋外側へ突出した状態となり、この状態から前記短アームが前記長アームの基端部に近づく方向へ前記窓枠取付材に沿って平行移動することにより前記障子が全開することを特徴とする。
【０００８】
このような構成によれば、障子を閉じた状態から開く際に、短アームがその基端部まわりに回動して窓枠に対して略直角に屋外側に回動してから長アームの基端部に近づく方向へ窓枠取付材に沿って平行移動（スライド）する構成であるため、特許文献１のような短アームがスライドする構成と比較して短アームがスライドするストロークを短くすることができる。
したがって、特許文献１のような構成と比較して、短アームのスライド動作の支持構造を簡素化することができるとともに、障子の開閉動作の安定性及び確実性を向上することができる。
また、障子を閉じた状態から開く際に、短アームがその基端部まわりに回動して窓枠に対して略直角に屋外側に回動してから長アームの基端部に近づく方向へ窓枠取付材に沿って平行移動（スライド）することから、特許文献２のような短アームがスライドしない構成と比較して、障子を全開状態にして障子の屋外面を清掃する際に手が入りやすいため清掃作業を効率的に行うことができる。
【０００９】
ここで、前記短アームの基端部に設けた支軸を前記窓枠取付材に沿ってスライド可能に支持するとともに、前記障子を閉じた状態で前記支軸から見て前記長アームの基端部と反対側に位置する補助軸を前記短アームの基端部に設け、前記障子を閉じた状態から開く際に、前記支軸が前記窓枠取付材に対してスライドせずに前記短アームが前記窓枠に対して略直角に屋外側へ突出した状態まで回動するように前記補助軸を案内する円弧面を前記窓枠取付材に設けてなると好ましい。
このような構成によれば、短アームの基端部に設けた支軸及び補助軸を窓枠取付材により案内することにより前記短アームの基端部が支持されるため、このような支持構造が簡素化されるとともに、特許文献１及び２のように板材をコ字状に曲げ加工する必要がなく、窓枠取付材を曲げ加工以外の板金プレス加工により製作することができるため、製造コストを大幅に低減することができるとともにゴミや埃の噛み込みを防止することができる。
【発明の効果】
【００１０】
以上のように、本発明に係る窓ステーによれば、障子を閉じた状態から開く際に、短アームがその基端部まわりに回動して窓枠に対して略直角に屋外側へ突出した状態となった後にアームが長アームの基端部に近づく方向へ窓枠取付材に沿って平行移動するように構成されているため、障子の開閉動作を安定かつ確実に行うことができ、障子を全開状態にして障子の屋外面を清掃する作業を効率的に行うことができるとともに製造コストを低減することができるという顕著な効果を奏する。
【図面の簡単な説明】
【００１１】
【図１】本発明の実施の形態に係る窓ステーを縦すべり出し窓に用いた例を示す横断平面図であり、障子の全開状態を示している。
【図２】本発明の実施の形態に係る窓ステーの斜視図であり、障子の全開状態に対応する形態を示している。
【図３】同じく窓ステーの斜視図であり、障子の全閉状態に対応する形態を示している。
【図４】同じく窓ステーの平面図であり、実線は障子の全閉状態に対応する形態を、二点鎖線は障子の全開状態に対応する形態を示している。
【図５】同じく窓ステーを屋内側から見た図であり、障子の全閉状態に対応する形態を示している。
【図６】同じく窓ステーの分解斜視図である。
【図７】同じく窓ステーの短アーム及び障子取付板の移動軌跡を示す平面図である。
【発明を実施するための形態】
【００１２】
本発明に係る窓ステーは縦すべり出し窓又は横すべり出し窓に使用されるが、以下においては縦すべり出し窓に使用した場合について説明する。
なお、本明細書においては、屋内側（図中ＩＤ参照。）から屋外側（図中ＯＤ参照。）へ向かう方向（図中矢印Ｆ参照。）の前側を前、後側を後とし、左右は前方に向かっていうものとする。
【００１３】
図１に示す縦すべり出し窓ＳＷは、上下の窓ステー１，１により障子ＤＲを窓枠ＦＲに対して開閉可能に支持しており、屋内側ＩＤから窓開閉装置ＯＰのハンドルＯＰ１を操作することにより、障子ＤＲを約９０°開いた全開状態にすることができ、この状態では障子ＤＲのガラスの屋内面Ｇ１及び屋外面Ｇ２の拭き掃除をすることができる。
なお、上下の窓ステー１，１は水平面に対して対称であるため、以下において、下側の窓ステー１について説明する。
図１〜図５に示すように、窓ステー１は、窓枠ＦＲの枠材ＦＲ１（横枠）に取り付けられる、左右に長い窓枠取付材２、障子ＤＲの框材ＤＲ１（横框）に取り付けられる障子取付板３、基端部４Ａが窓枠取付材２に枢着され、先端部（遊端部）４Ｂが障子取付板３の一端部３Ａと他端部３Ｂとの間（中間部３Ｃ）に枢着された長アーム４、及び、基端部５Ａが窓枠取付材２に支持され、先端部（遊端部）５Ｂが障子取付板３の一端部３Ａに枢着された短アーム５からなり、窓枠取付材２、障子取付板３、長アーム４及び短アーム５は、例えばステンレス鋼製の板材により形成される。
【００１４】
次に、主に図６を参照して窓ステー１の構造の詳細について説明する。
窓枠取付材２には、その左側に後述する台状凸部２Ａが、その右側に補強用凸部２Ｂが形成されているとともに、その長手方向に取付孔２ｂ，２ｂ，…が穿設されているため、これらの取付孔２ｂ，２ｂ，…を利用して取付ねじを枠材ＦＲ１（図１参照。）に螺合することにより、窓枠取付材２が枠材ＦＲ１に取り付けられる。
また、障子取付板３には、その長手方向に取付孔３ｂ，３ｂ，…が穿設されているため、これらの取付孔３ｂ，３ｂ，…を利用して取付ねじを障子ＤＲの框材ＤＲ１（図１参照。）に螺合することにより、障子取付板３が框材ＤＲ１に取り付けられる。
【００１５】
長アーム４の基端部４Ａに穿設された通孔４ａを窓枠取付材２の左右方向の中間部に穿設された通孔２ａの上側に合わせ、長アーム４の基端部４Ａの上下にワッシャ１１Ａ，１１Ｂを位置させた状態で、枢軸であるリベット１１を上側から通して軸端をかしめることにより、長アーム４の基端部４Ａは窓枠取付材２に垂直軸まわりに回動可能に連結される。
また、長アーム４の先端部４Ｂに穿設された通孔４ｂを障子取付板３の中間部３Ｃに穿設された通孔３ｃの下側に合わせ、これらの間にワッシャ１２Ａが介在された状態で、枢軸であるリベット１２を下側から通して軸端をかしめることにより、長アーム４の先端部４Ｂは障子取付板３に垂直軸まわりに回動可能に連結される。
さらに、短アーム５の先端部５Ｂに穿設された通孔５ｂを障子取付板３の一端部３Ａに穿設された通孔３ａの下側に合わせ、短アーム５の先端部５Ｂの上下にワッシャ１３Ａ，１３Ｂを位置させた状態で、枢軸であるリベット１３を下側から通して軸端をかしめることにより、短アーム５の先端部５Ｂは障子取付板３に垂直軸まわりに回動可能に連結される。
【００１６】
短アーム５の基端部５Ａ側部分は、例えばインサート成形により例えばナイロン又はポリアセタール等の合成樹脂で被覆されており、短アーム５の基端部５Ａには、障子ＤＲを閉じた状態で通孔５ｃ，通孔５ａが左右に位置するように、これらの通孔５ａ，５ｃが穿設されている。
また、窓枠取付材２には、その左側部分に、水平板を上方へ変位させるように段上げした台状凸部２Ａが形成されており、台状凸部２Ａの後側（屋内側）には左右方向に延びる支軸スライド案内用長孔８が形成され、支軸スライド案内用長孔８の左端部から左側に離間した位置から長孔８の左端部の前側（屋外側）まで延びる円弧状の長孔が形成され、長孔８の前側に位置して左右方向に延びる補助軸スライド案内用長孔１０に繋がっており、前記円弧状長孔の内壁が後述する機能を有する円弧面９を形成している。
【００１７】
短アーム５の基端部５Ａの通孔５ｃの下側から補助軸７を嵌入又は補助軸７を挿入してその軸端をかしめることにより、短アーム５の下側に補助軸７が突設され、補助軸７は窓枠取付材２の上記円弧状長孔及び補助軸スライド案内用長孔１０内を移動する。
また、短アーム５の基端部５Ａの通孔５ａを窓枠取付材２の支軸スライド案内用長孔８の上側に合わせ、窓枠取付材２の下側に位置させたワッシャ６Ａ，６Ｂまで、支軸であるリベット６を上側から通してその軸端をかしめることにより、リベット６は支軸スライド案内用長孔８内を移動する。
なお、短アーム５が窓枠取付材２に対して移動する際には、短アーム５の基端部５Ａ側部分を被覆した上記合成樹脂が台状凸部２Ａの上面を摺動する。
また、ワッシャ６Ａ，１１Ａ，１１Ｂ，１２Ａ，１３Ａ，１３Ｂは、例えばナイロン又はポリアセタール等の合成樹脂製である。
ここで、短アーム５の支軸６と補助軸７の位置関係は、これらが挿通される通孔５ａ，５ｂの上記位置関係から、障子ＤＲを閉じた状態で支軸６から見て、補助軸７は長アーム４の基端部４Ａと反対側に位置している。
【００１８】
次に、窓ステー１の動作について説明する。
窓ステー１が図３及び図４の実線に示す障子ＤＲが閉じた状態では、短アーム５の補助軸７が円弧状長孔の後端で円弧面９に接しており、この状態から障子を開いていくと、図７に示すように、短アーム５の支軸６の位置が変わらない状態で、補助軸７が円弧面９に沿って移動するため、短アーム５はその基端部５Ａ（支軸６）まわりに矢印Ａのように回動して前方へ突出した状態となる。
この状態からさらに障子を開いていくと、図７に示すように、支軸６及び補助軸７が、各々支軸スライド案内用長孔８及び補助軸スライド案内用長孔１０に沿って移動するため、短アーム５は回動せずに矢印Ｂのように右方へ平行移動して、支軸６及び補助軸７が各々支軸スライド案内用長孔８及び補助軸スライド案内用長孔１０の右端まで移動し、実線で示す障子ＤＲの全開位置になる（図１も参照。）。
また、障子ＤＲの全開位置から障子ＤＲを閉じる際には、窓ステー１は図７の矢印と逆方向へ移動して図３及び図４の実線に示す障子ＤＲが閉じた状態となる。
【００１９】
以上のような窓ステー１によれば、障子ＤＲを閉じた状態から開く際に、短アーム５がその基端部５Ａ（支軸６）まわりに回動して窓枠ＦＲ（枠材ＦＲ１）に対して略直角に屋外側（前方）へ回動してから長アーム４の基端部４Ａに近づく方向（右方）へ窓枠取付材２に沿って平行移動（スライド）する構成であるため、特許文献１のような短アームがスライドする構成と比較して短アーム５がスライドするストローク（図７のＣ参照。）を短くすることができる。
したがって、特許文献１のような構成と比較して、短アーム５のスライド動作の支持構造を簡素化することができるとともに、障子ＤＲの開閉動作の安定性及び確実性を向上することができる。
また、障子ＤＲを閉じた状態から開く際に、短アーム５がその基端部５Ａ（支軸６）まわりに回動して窓枠ＦＲ（枠材ＦＲ１）に対して略直角に屋外側（前方）へ回動してから長アーム４の基端部４Ａに近づく方向へ窓枠取付材２に沿って平行移動（スライド）することから、特許文献２のような短アームがスライドしない構成と比較して、障子ＤＲを全開状態にして障子ＤＲの屋外面（図１のガラス屋外面Ｇ２参照。）を清掃する際に手が入りやすいため清掃作業を効率的に行うことができる。
【００２０】
さらに、短アーム５の基端部５Ａに設けた支軸６を窓枠取付材２に沿ってスライド可能に支持するとともに、障子ＤＲを閉じた状態で支軸６から見て長アーム４の基端部４Ａと反対側に位置する補助軸７を短アーム５の基端部５Ａに設け、障子ＤＲを閉じた状態から開く際に、支軸６が窓枠取付材２に対してスライドせずに短アーム５が窓枠にＦＲ（枠材ＦＲ１）対して略直角に屋外側へ突出した状態まで回動するように補助軸７を案内する円弧面９を窓枠取付材７に設けていることから、短アーム５の基端部５Ａに設けた支軸６及び補助軸７を窓枠取付材２により案内することにより短アーム５の基端部５Ａが支持されるため、このような支持構造が簡素化されるとともに、特許文献１及び２のように板材をコ字状に曲げ加工する必要がなく、窓枠取付材２を曲げ加工以外の板金プレス加工により製作することができるため、製造コストを大幅に低減することができるとともにゴミや埃の噛み込みを防止することができる。
【００２１】
以上の説明においては、短アーム５を左右方向へ平行移動（スライド）させるための支持構造として、短アーム５の支軸６及び補助軸７を支軸スライド案内用長孔８及び補助軸スライド案内用長孔１０により案内する構成を示したが、本発明はこのような構成に限定されるものではなく、補助軸スライド案内用長孔１０に代えて窓枠取付材２に左右方向に延びる壁面を形成し、短アーム５の基端部５Ａの後面を前記左右方向に延びる壁面に摺動させる等の構成としてもよい。
【符号の説明】
【００２２】
Ａ  回動
Ｂ  平行移動（スライド）
Ｃ  スライドストローク
ＤＲ  障子
ＤＲ１  框材
Ｆ  前方
ＦＲ  窓枠
ＦＲ１  枠材
Ｇ１  ガラス屋内面
Ｇ２  ガラス屋外面
ＩＤ  屋内側
ＯＤ  屋外側
ＯＰ  窓開閉装置
ＯＰ１  ハンドル
ＳＷ  縦すべり出し窓
１  窓ステー
２  窓枠取付材
２Ａ  台状凸部
２Ｂ  補強用凸部
２ａ  通孔
２ｂ  取付孔
３  障子取付板
３Ａ  一端部
３Ｂ  他端部
３Ｃ  中間部
３ａ  通孔
３ｂ  取付孔
３ｃ  通孔
４  長アーム
４Ａ  基端部
４Ｂ  先端部
４ａ，４ｂ  通孔
５  短アーム
５Ａ  基端部
５Ｂ  先端部
５ａ，５ｂ，５ｃ  通孔
６  リベット（支軸）
６Ａ，６Ｂ  ワッシャ
７  補助軸
８  支軸スライド案内用長孔
９  円弧面
１０  補助軸スライド案内用長孔
１１，１２，１３  リベット（枢軸）
１１Ａ，１１Ｂ，１２Ａ，１３Ａ，１３Ｂ  ワッシャ
【図１】
0005531798.tif 000002
【図２】
0005531798.tif 000003
【図３】
0005531798.tif 000004
【図４】
0005531798.tif 000005
【図５】
0005531798.tif 000006
【図６】
0005531798.tif 000007
【図７】
0005531798.tif 000008